(57)【特許請求の範囲】
【請求項１】
ポーリング／セレクティング動作の主局として機能する第１のＰＯＳ端末と、
ポーリング／セレクティング動作の主局として機能する第２のＰＯＳ端末と、
ポーリング／セレクティング動作の従局として機能する制御対象機器と、
前記第１及び第２のＰＯＳ端末と、前記制御対象機器との間で、ポーリング／セレクティング動作による電文の授受を制御するＰＯＳ制御システムとを備え、
前記ＰＯＳ制御システムは、
前記第１のＰＯＳ端末に通信可能に接続され、当該第１のＰＯＳ端末の従局として機能する第１の従局インタフェースと、
前記第２のＰＯＳ端末に通信可能に接続され、当該第２のＰＯＳ端末の従局として機能する第２の従局インタフェースと、
前記制御対象機器に通信可能に接続され、当該制御対象機器の主局として機能する主局インタフェースと、
前記第１及び第２のＰＯＳ端末の一方と前記制御対象機器との間で、前記ポーリング／セレクティング動作により所定の電文を授受する際、所定の制御シーケンスが完了するまでの間、前記第１及び第２のＰＯＳ端末の一方を優先系として設定する優先系設定手段と、
前記優先系設定手段により設定された優先系に基づいて、前記第１及び第２のＰＯＳ端末と前記制御対象機器との間で、前記第１及び第２の従局インタフェースと、前記主局インタフェースとを介して、前記電文を排他的に振り分けて送受信し、前記ＰＯＳ端末のうち、優先系として設定されていない前記ＰＯＳ端末からの前記制御対象機器への電文は送信しない電文送受信手段とを有することを特徴とするＰＯＳシステム。
【請求項２】
前記優先系設定手段は、
前記第１及び第２のＰＯＳ端末のいずれか一方に対応する優先系の設定データを格納する格納部と、
前記優先系を設定するための条件データを登録する条件テーブルと、
前記第１の従局インタフェース、前記第２の従局インタフェース、又は前記主局インタフェースを介して受信された受信電文のデータと、前記格納部に格納されている現在の優先系の設定データと、前記条件テーブルに登録されている条件データとに基づいて前記優先系を決定する手段と、
決定された優先系を、前記優先系の設定データとして前記格納部に設定する手段とを有することを特徴とする請求項１記載のＰＯＳシステム。
【請求項３】
前記第１のＰＯＳ端末の従局として機能する第１の屋外端末と、
前記第２のＰＯＳ端末の従局として機能する第２の屋外端末とをさらに有し、
前記制御対象機器は、ＲＳ４８５機器であることを特徴とする請求項１又は２に記載のＰＯＳシステム。
【請求項４】
前記ＲＳ４８５機器は、ガソリンスタンド用の計量機を有することを特徴とする請求項３記載のＰＯＳシステム。
【請求項５】
前記所定の制御シーケンスは、前記計量機による給油開始から給油終了までの制御シーケンスであることを特徴とする請求項４記載のＰＯＳシステム。
【請求項６】
ポーリング／セレクティング動作の主局として機能する第１のＰＯＳ端末と、
ポーリング／セレクティング動作の主局として機能する第２のＰＯＳ端末と、
ポーリング／セレクティング動作の従局として機能する制御対象機器とを有するＰＯＳシステムで用いられ、前記第１及び第２のＰＯＳ端末と、前記制御対象機器との間で、ポーリング／セレクティング動作による電文の授受を制御するＰＯＳ制御システムであって、
前記第１のＰＯＳ端末に通信可能に接続され、当該第１のＰＯＳ端末の従局として機能する第１の従局インタフェースと、
前記第２のＰＯＳ端末に通信可能に接続され、当該第２のＰＯＳ端末の従局として機能する第２の従局インタフェースと、
前記制御対象機器に通信可能に接続され、当該制御対象機器の主局として機能する主局インタフェースと、
前記第１及び第２のＰＯＳ端末の一方と前記制御対象機器との間で、前記ポーリング／セレクティング動作により所定の電文を授受する際、所定の制御シーケンスが完了するまでの間、前記第１及び第２のＰＯＳ端末の一方を優先系として設定する優先系設定手段と、
前記優先系設定手段により設定された優先系に基づいて、前記第１及び第２のＰＯＳ端末と前記制御対象機器との間で、前記第１及び第２の従局インタフェースと、前記主局インタフェースとを介して、前記電文を排他的に振り分けて送受信し、前記ＰＯＳ端末のうち、優先系として設定されていない前記ＰＯＳ端末からの前記制御対象機器への電文は送信しない電文送受信手段とを有することを特徴とするＰＯＳ制御システム。
【発明の詳細な説明】
【技術分野】
【０００１】
本発明は、ＰＯＳ（Point Of Sales）システム及びそのＰＯＳ制御システムに係り、とくにガソリンスタンド（給油所）向けＰＯＳシステムにおける２種のＰＯＳ端末から同一機器への制御に関する。
【背景技術】
【０００２】
近年、ガソリンスタンドでは、給油客が給油のために用意されたレーンに車両を進入・停車後に屋外端末（ＰＯＳ端末）を操作して、給油したい油種等の指示を行って計量機を給油可能な状態にした後で、計量機の給油ノズルを使って自ら給油作業を行うタイプのセルフガソリンスタンドが増加している。
【０００３】
このようなセルフガソリンスタンドで用いられるＰＯＳシステムとして、例えば特許文献１に記載されているセルフ給油システムがある。このシステムでは、複数の計量機と、複数の外設端末と、両者間を接続するＰＯＳ装置とを備え、ＰＯＳ装置により、外設端末で読み取られた金融カードの情報と選択されたサービスに応じて計量機の給油の可否を判断し、金融カードが正規なものかどうかを外部に接続されたセンター側に確認した後、カード種別に応じた処理を許容するようになっている。
【特許文献１】特開２００４−１０６８９１号公報
【発明の開示】
【発明が解決しようとする課題】
【０００４】
従来のセルフガソリンスタンド等で用いられるＰＯＳシステムでは、ＰＯＳ端末及び計量機間の通信で用いる一般的なインタフェースとして、ＲＳ４８５方式の機器制御を行うものが使用されている。
【０００５】
ＲＳ４８５方式の機器制御では、ポーリング／セレクティング方式が採用されている。この方式では、制御を行う側の制御機器（以下、「主局」と呼ぶ）が制御を受ける側の制御対象機器（以下、「従局」と呼ぶ）に対し送出データの有無を問い合わせる「ポーリング」を行い、各従局はこのポーリングが自分宛に来たときのみデータを送出する。また、主局が従局に対しデータを送出したい場合は、主局が従局に対して送信の可否を問う「セレクティング」を行ってからデータを送出する。
【０００６】
このようなポーリング／セレクティング方式を用いると、主局からその従局として同一機器を制御する場合、主局は通常１つしか存在できない。このため、ガソリンスタンド向けＰＯＳシステムにおいて、２つのＰＯＳシステム（２系）の主局からその従局として同一の制御対象機器（計量機等）を制御しようとする場合は、次のような課題が想定される。
【０００７】
図６（ａ）及び（ｂ）は、２系のシステム構成の一例を示す。
【０００８】
図６（ａ）の例では、ガソリンスタンド向けＰＯＳシステムにおけるポーリング／セレクティング方式の主局（主局Ａ、Ｂ）として、２つのＰＯＳ端末Ａ、Ｂ（１１０、１２０）を備える。このうち、ＰＯＳ端末Ａ（１１０）には、その従局として屋外端末Ａ１〜Ａ３（１１１〜１１３）がネットワークを介して通信可能に接続される。ＰＯＳ端末Ｂ（１２０）には、その従局として屋外端末Ｂ１〜Ｂ３（１２１〜１２３）がネットワークを介して通信可能に接続される。２つのＰＯＳ端末Ａ、Ｂ（１１０、１２０）に共有される同一ＲＳ４８５機器の従局（従局１〜３）として、計量機１〜３（１３１〜１３３）がネットワークを介して接続される。屋外端末Ａ１〜Ａ３（１１１〜１１３）、屋外端末Ｂ１〜Ｂ３（１２１〜１２３）、及び計量機１〜３（１３１〜１３３）は、ガソリンスタンドのレーン１〜３毎にそれぞれ設置されている。
【０００９】
図６（ａ）の例に示すように、単にＰＯＳ端末Ａ、Ｂ（１１０、１２０）と、計量機１〜３（１３１〜１３３）とを接続するだけでは、複数（図の例では２つ）の主局となるＰＯＳ端末が同一ネットワーク上に存在することになる。このため、実際には、図６（ａ）に示すような機器構成をとることができない。
【００１０】
そこで、２系のシステム構成とする場合は、図６（ｂ）の例に示すように、各ＰＯＳ端末に接続される計量機が同一ネットワーク上に存在しない機器構成をとらなければならない。図６（ｂ）の例では、ＰＯＳ端末Ａ（１１０）に屋外端末Ａ１、Ａ２（１１１、１１２）、計量機１、２（１３１、１３２）が、ＰＯＳ端末Ｂ（１２０）に屋外端末Ｂ３（１２３）、計量機３（１３３）がそれぞれネットワーク接続されている。この構成では、決済手段として、屋外端末Ａ１、Ａ２（１１１、１１２）を用いる場合はレーン１、２へ移動し、屋外端末Ｂ３（１２３）を用いる場合はレーン３へ移動するというように給油客の動線が制約されることとなり、それが給油の回転率低下、しいては売上の損失へとつながる可能性が高まることが考えられる。
【００１１】
図７の例は、図６（ａ）に示すような２系のシステム構成を可能とするため、ＰＯＳ端末Ａ、Ｂ（１１０、１２０）と、計量機１〜３（１３１〜１３３）との結合部分にＲＳ４８５データ中継装置１４０を介在させた場合の例を示す。この場合のデータ送受信シーケンス例を図８（ａ）及び（ｂ）に示す。
【００１２】
図７の例では、ＰＯＳ端末Ａ、Ｂ（１１０、１２０）が共有する計量機１〜３（１３１〜１３３）を制御するためのポーリング／セレクティング動作でやり取りされる電文について、ＰＯＳ端末Ａ、Ｂ（１１０、１２０）からの制御電文をどちらも公平に計量機１〜３（１３１〜１３３）に送信してしまっては、制御電文のシーケンスが成り立たない場合が存在する。
【００１３】
例えば、図８（ａ）のデータ送受信シーケンス例（１）に示すように、ＰＯＳ端末Ａ（１１０）からの給油許可の制御電文をＲＳ４８５データ中継装置１４０を介して計量機１（１３１）に送信し（ステップＳ１０１、Ｓ１０２）、その後、ＰＯＳ端末Ｂ（１２０）からの給油停止の制御電文をＲＳ４８５データ中継装置１４０を介して計量機１（１３１）に送信した場合（ステップＳ１０３、Ｓ１０４）を考える。この場合、ＰＯＳ端末Ａ（１１０）で保持する計量機１（１３１）の状態は、給油許可状態であるが、計量機１（１３１）はＰＯＳ端末Ｂ（１２０）からの給油停止の制御電文を受けて給油停止状態にあるため、ＰＯＳ端末Ａ（１１０）と計量機１（１３１）との間で不整合が生じる。
【００１４】
また、上記とは逆に、ＰＯＳ端末Ａ、Ｂ（１１０、１２０）が共有する計量機１〜３（１３１〜１３３）からの応答電文をいずれのＰＯＳ端末Ａ、Ｂ（１１０、１２０）に送信すればよいのかの判断基準がないため、ＰＯＳ端末Ａ、Ｂ（１１０、１２０）が意図しない電文を受信し、これにより不都合を引き起こす場合も考えられる。
【００１５】
例えば、図８（ａ）のデータ送受信シーケンス例（２）に示すように、ＰＯＳ端末Ａ（１１０）からの給油許可の制御電文をＲＳ４８５データ中継装置１４０を介して計量機１（１３１）に送信し（ステップＳ１１１、Ｓ１１２）、その後、計量機１（１３１）からの給油終了の電文をＲＳ４８５データ中継装置１４０を介してＰＯＳ端末Ａ、Ｂ（１１０、１２０）にそれぞれ送信した場合（ステップＳ１１３〜Ｓ１１５）を考える。この場合、ＰＯＳ端末Ａ（１１０）では、意図した電文が受信されるが、ＰＯＳ端末Ｂ（１２０）では、意図しない電文が受信されるため、不正が生じる可能性がある。
【００１６】
従って、図７の例では、図８（ａ）及び（ｂ）に示すように、ＰＯＳ端末側で管理する状態と計量機自体の状態との間で不整合が生じたり、ＰＯＳ端末側で意図しない電文を受信することにより不都合を引き起こしたりするといった課題がある。
【００１７】
本発明は、このような従来の事情を考慮してなされたもので、ポーリング／セレクティング方式の機器制御において、従局となる同一機器に対して主局となる複数のＰＯＳシステムからの制御を実現することを目的とする。
【課題を解決するための手段】
【００１８】
上記目的を達成するため、本発明に係るＰＯＳシステムは、ポーリング／セレクティング動作の主局として機能する第１のＰＯＳ端末と、ポーリング／セレクティング動作の主局として機能する第２のＰＯＳ端末と、ポーリング／セレクティング動作の従局として機能する制御対象機器と、前記第１及び第２のＰＯＳ端末と、前記制御対象機器との間で、ポーリング／セレクティング動作による電文の授受を制御するＰＯＳ制御システムとを備え、前記ＰＯＳ制御システムは、前記第１のＰＯＳ端末に通信可能に接続され、当該第１のＰＯＳ端末の従局として機能する第１の従局インタフェースと、前記第２のＰＯＳ端末に通信可能に接続され、当該第２のＰＯＳ端末の従局として機能する第２の従局インタフェースと、前記制御対象機器に通信可能に接続され、当該制御対象機器の主局として機能する主局インタフェースと、前記第１及び第２のＰＯＳ端末の一方と前記制御対象機器との間で、前記ポーリング／セレクティング動作により所定の電文を授受する際、所定の制御シーケンスが完了するまでの間、前記第１及び第２のＰＯＳ端末の一方を優先系として設定する優先系設定手段と、前記優先系設定手段により設定された優先系に基づいて、前記第１及び第２のＰＯＳ端末と前記制御対象機器との間で、前記第１及び第２の従局インタフェースと、前記主局インタフェースとを介して、前記電文を排他的に振り分けて送受信し、前記ＰＯＳ端末のうち、優先系として設定されていない前記ＰＯＳ端末からの前記制御対象機器への電文は送信しない電文送受信手段とを有することを特徴とする。
【００１９】
本発明において、前記優先系設定手段は、前記第１及び第２のＰＯＳ端末のいずれか一方に対応する優先系の設定データを格納する格納部と、前記優先系を設定するための条件データを登録する条件テーブルと、前記第１の従局インタフェース、前記第２の従局インタフェース、又は前記主局インタフェースを介して受信された受信電文のデータと、前記格納部に格納されている現在の優先系の設定データと、前記条件テーブルに登録されている条件データとに基づいて前記優先系を決定する手段と、決定された優先系を、前記優先系の設定データとして前記格納部に設定する手段とを有してもよい。
【００２０】
また、本発明において、前記第１のＰＯＳ端末の従局として機能する第１の屋外端末と、前記第２のＰＯＳ端末の従局として機能する第２の屋外端末とをさらに有し、前記制御対象機器は、ＲＳ４８５機器であってもよい。前記ＲＳ４８５機器は、ガソリンスタンド用の計量機を有してもよい。前記所定の制御シーケンスは、前記計量機による給油開始から給油終了までの制御シーケンスであってもよい。
【００２１】
本発明に係るＰＯＳ制御システムは、ポーリング／セレクティング動作の主局として機能する第１のＰＯＳ端末と、ポーリング／セレクティング動作の主局として機能する第２のＰＯＳ端末と、ポーリング／セレクティング動作の従局として機能する制御対象機器とを有するＰＯＳシステムで用いられ、前記第１及び第２のＰＯＳ端末と、前記制御対象機器との間で、ポーリング／セレクティング動作による電文の授受を制御するＰＯＳ制御システムであって、前記第１のＰＯＳ端末に通信可能に接続され、当該第１のＰＯＳ端末の従局として機能する第１の従局インタフェースと、前記第２のＰＯＳ端末に通信可能に接続され、当該第２のＰＯＳ端末の従局として機能する第２の従局インタフェースと、前記制御対象機器に通信可能に接続され、当該制御対象機器の主局として機能する主局インタフェースと、前記第１及び第２のＰＯＳ端末の一方と前記制御対象機器との間で、前記ポーリング／セレクティング動作により所定の電文を授受する際、所定の制御シーケンスが完了するまでの間、前記第１及び第２のＰＯＳ端末の一方を優先系として設定する優先系設定手段と、前記優先系設定手段により設定された優先系に基づいて、前記第１及び第２のＰＯＳ端末と前記制御対象機器との間で、前記第１及び第２の従局インタフェースと、前記主局インタフェースとを介して、前記電文を排他的に振り分けて送受信し、前記ＰＯＳ端末のうち、優先系として設定されていない前記ＰＯＳ端末からの前記制御対象機器への電文は送信しない電文送受信手段とを有することを特徴とする。
【発明の効果】
【００２２】
本発明によれば、ポーリング／セレクティング方式の機器制御において、従局となる同一機器に対して主局となる複数のＰＯＳシステムからの制御を実現することができる。
【発明を実施するための最良の形態】
【００２３】
次に、本発明に係るＰＯＳ制御システム及びこれを用いたガソリンスタンド向けＰＯＳシステムを実施するための最良の形態について、図面を参照して詳細に説明する。
【００２４】
本実施の形態は、ガソリンスタンド向けＰＯＳシステムにおける一般的なインタフェースとして用いられているＲＳ４８５方式の機器制御において、同一の制御対象機器であるＲＳ４８５機器（計量機等）に対して２種のＰＯＳシステムからの制御を実現するものである。以降の説明では、２種のＰＯＳシステムの構成を「２系」と呼ぶ。
【００２５】
図１は、本実施の形態に係るガソリンスタンド向けＰＯＳシステムの概要を説明するものである。
【００２６】
図１に示すガソリンスタンド向けＰＯＳシステムは、給油客が自ら給油を行うセルフガソリンスタンドに適用されるもので、ＲＳ４８５方式の機器制御を行う２系のＰＯＳシステムとして、ポーリング／セレクティング方式の主局Ａ、Ｂを構成する２つのＰＯＳ端末Ａ、Ｂ（１０、２０）と、ＰＯＳ端末Ａ（１０）の従局を構成する複数（図中の例では３つ）の屋外端末Ａ１〜Ａ３（１１〜１３）と、ＰＯＳ端末Ｂ（２０）の従局を構成する複数（図中の例では３つ）の屋外端末Ｂ１〜Ｂ３（２１〜２３）とを有する。これら２系のＰＯＳシステムにより制御される制御対象機器としては、ＲＳ４８５機器である計量機１〜３（３１〜３３）が設けられる。
【００２７】
ＰＯＳ端末Ａ（１０）と屋外端末Ａ１〜Ａ３（１１〜１３）は、互いにＰＯＳ−屋外端末系ネットワークケーブル１４を介してポーリング／セレクティング動作による電文授受が可能に接続される。同様に、ＰＯＳ端末Ｂ（２０）と屋外端末Ｂ１〜Ｂ３（２１〜２３）は、互いにＰＯＳ−屋外端末系ネットワークケーブル２４を介してポーリング／セレクティング動作による電文授受が可能に接続される。
【００２８】
２つのＰＯＳ端末Ａ、Ｂ（１０、２０）は、ガソリンスタンドの店内に配置され、屋外端末Ａ１〜Ａ３（１１〜１３）、屋外端末Ｂ１〜Ｂ３（２１〜２３）、及び計量機１〜３（３１〜３３）は、ガソリンスタンドの給油するための車両進入路及び停車場所となる複数のレーン（図中の例では３つのレーン１〜３）毎に割り当てて配置される。
【００２９】
この構成において、本実施の形態では、２つのＰＯＳ端末Ａ、Ｂ（１０、２０）と計量機１〜３（３１〜３３）との間に、各ＰＯＳ端末Ａ、Ｂ（１０、２０）からのポーリング／セレクティング動作による制御電文を仲介する機器（以下、「２系統制御システム」と称する）４０が接続される。
【００３０】
図１に示すように、ＰＯＳ端末Ａ、Ｂ（１０、２０）が、２系統制御システム４０を介して複数のＲＳ４８５機器である計量機１〜３（３１〜３３）を共有することで、同一レーンに、各々のＰＯＳ端末Ａ、Ｂ（１０、２０）に接続される屋外端末Ａ１〜Ａ３（１１〜１３）、Ｂ１〜Ｂ３（２１〜２３）を設置し、両屋外端末Ａ１〜Ａ３（１１〜１３）、Ｂ１〜Ｂ３（２１〜２３）から計量機１〜３（３１〜３３）を制御する。図１の例では、ガソリンスタンドにおいて、代表的なＲＳ４８５機器である計量機を例としている。以降、図中で示す計量機は、ＲＳ４８５機器を表すものとする。
【００３１】
図２は、２系統制御システム４０の内部構成を示す。なお、図中の表記では、後述するＲＳ４８５ネットワークインタフェースについては、便宜上「インタフェース」としている。
【００３２】
図２において、２系統制御システム４０は、ＰＯＳ端末Ａ（１０）の従局として機能する従局ＲＳ４８５ネットワークインタフェース（第１の従局インタフェース）４４と、ＰＯＳ端末Ｂ（２０）の従局として機能する従局ＲＳ４８５ネットワークインタフェース（第２の従局インタフェース）４５と、計量機１〜３（３１〜３３）の主局として機能する主局ＲＳ４８５ネットワークインタフェース（主局インタフェース）４６と、制御中枢を担うＣＰＵ（Central Processing Unit）４７と、ＣＰＵ４７により実行される各種制御プログラム及び制御データを記憶する記憶手段としての主記憶装置４８及びメモリ４９とを有し、これら各要素４４〜４９がバスを介して電気的に接続されている。
【００３３】
従局ＲＳ４８５ネットワークインタフェース４４は、ＰＯＳ端末Ａ（１０）に搭載された主局ＲＳ４８５ネットワークインタフェース１５にＲＳ４８５系ネットワークケーブル４１を介して通信可能に接続される。
【００３４】
従局ＲＳ４８５ネットワークインタフェース４５は、ＰＯＳ端末Ｂ（２０）に搭載された主局ＲＳ４８５ネットワークインタフェース２５にＲＳ４８５系ネットワークケーブル４２を介して通信可能に接続される。
【００３５】
主局ＲＳ４８５ネットワークインタフェース４６は、計量機１〜３（３１〜３３）に搭載された従局ＲＳ４８５ネットワークインタフェース６１〜６３にＲＳ４８５系ネットワークケーブル４３を介して通信可能に接続される。
【００３６】
２系統制御システム４０は、このように２系のＰＯＳシステムからの接続を受ける２つの従局ＲＳ４８５ネットワークインタフェース４４、４５と、下位のＲＳ４８５機器である計量機１〜３（３１〜３３）への接続を行う１つの主局ＲＳ４８５ネットワークインタフェース４６とを有し、互いに送受信された電文内容を判断して排他的に振り分け動作を行うプログラム制御が可能なデータ処理装置である。
【００３７】
これによれば、２系のＰＯＳ端末Ａ、Ｂ（１０、２０）からポーリング／セレクティング動作により送信される電文を、２系統制御システム４０の従局ＲＳ４８５ネットワークインタフェース４４、４５で受信し、実際に制御される制御対象機器である計量機１〜３（３１〜３３）に対しては唯一のＰＯＳ（主局）として動作することを可能としている。これにより、２系のＰＯＳ端末Ａ、Ｂ（１０、２０）からの制御電文をバッティングさせることなく、計量機１〜３（３１〜３３）の接続が可能となる。
【００３８】
主記憶装置４８には、２系統制御システム４０の基本ソフトウェアの中核を成すＯＳ（Operating System）５０内の制御プログラム及び制御データの一部として、予め設定された２系統制御プログラム５１、条件テーブル５２、及びＲＳ４８５データ送受信プログラム５４が実装される。
【００３９】
メモリ４９には、起動時に、主記憶装置４８から、２系統制御プログラム５１、条件テーブル５２、及びＲＳ４８５データ送受信プログラム５４を含むＯＳ５０の制御プログラム及び制御データが展開されると共に、展開されたＯＳ５０内に優先系（後述参照）の設定状態を保持するための格納部である記憶領域（以下、「優先系状態」と呼ぶ）５３も確保される。
【００４０】
なお、以下の説明では、２つの従局ＲＳ４８５ネットワークインタフェース４４、４５において、電文の送受信を有効としている系を指して、「優先系」と呼称する。優先系の設定状態には、「系１」、「系２」、「設定なし」の３状態のいずれかが保有される。本実施の形態では、２つの従局ＲＳ４８５ネットワークインタフェース４４、４５の各々に対して、それぞれ「系１」、「系２」に割り当てるように意味付け（関連付け）を行っている。
【００４１】
また、優先系が「設定なし」の状態に対応する初期状態には、「系１」、「系２」、「両系」の３種類がある。両系とは、その両従局ＲＳ４８５ネットワークインタフェース４４、４５における送受信が有効であることを指している。ここで示す「送受信の有効状態」は、実際にネットワーク４４、４５を切断状態にするのではなく、各従局ＲＳ４８５ネットワークインタフェースで受信した電文を送信先機器へ送信しないことを意味している。
【００４２】
条件テーブル５２は、電文制御の排他を行うもので、特定の計量機１〜３（３１〜３３）および送受信の電文に基づいて、電文をどちらの系のＰＯＳ端末Ａ、Ｂ（１０、２０）に対して送受信させるかを排他的に振り分けるためのものである。
【００４３】
図３は、条件テーブル５２の構成例を示す。
【００４４】
図３に示す条件テーブル５２には、条件データ毎に「対象電文」、「対象機器」、「受信（受信した系）」、「優先系状態」、「設定する優先系」、「コマンド」の各項目のデータが登録されている。
【００４５】
「対象電文」には、給油許可電文、給油終了電文、給油取消電文等の制御対象電文に対応するデータが登録される。
【００４６】
「対象機器」には、送信先の制御対象機器（ＲＳ４８５機器）に対応するデータが設定される。本実施の形態では、計量機１〜３（３１〜３３）が対象となる。
【００４７】
「受信（受信した系）」には、２系のＰＯＳ端末Ａ、Ｂ（１０、２０）のうち、電文を受信した系に対応するデータが設定される。図３の例では、ＰＯＳ端末Ａ（１０）が「系１」、ＰＯＳ端末Ｂ（２０）が「系２」にそれぞれ対応している。
【００４８】
「優先系状態」には、メモリ４９上に現在登録されている優先系状態５３に対応するデータが登録されている。図３の例では、「系１」、「系２」、「設定なし」のいずれかに対応する。
【００４９】
「設定する優先系」には、条件合致（後述参照）の場合にメモリ４９上の優先系状態５３に設定すべき優先系に対応するデータが設定されている。図３の例では、「系１」、「系２」、「設定なし」のいずれかに対応する。
【００５０】
「コマンド」には、制御シーケンス上に整合性を欠く場合にこれを補うことを目的として、任意の電文を送信したり、優先系の設定を行ったりする場合に、これを実行するための制御コマンドが登録される。図３の例では、この制御コマンドは使用されない。
【００５１】
図３の例では、条件テーブル５２には、以下の４つの条件データが登録されている。
【００５２】
１）条件データ１（対象電文：給油許可、対象機器：計量機、受信：系１、優先系状態：設定なし、設定する優先系：系１、コマンド：なし）
２）条件データ２（対象電文：給油終了、対象機器：計量機、受信：系１、優先系状態：系１、設定する優先系：設定なし、コマンド：なし）
３）条件データ３（対象電文：給油許可、対象機器：計量機、受信：系２、優先系状態：設定なし、設定する優先系：系２、コマンド：なし）
４）条件データ４（対象電文：給油終了、対象機器：計量機、受信：系２、優先系状態：系２、設定する優先系：設定なし、コマンド：なし）
ＣＰＵ４７は、メモリ４９上の２系統制御プログラム５１及びＲＳ４８５データ送受信プログラム５４を含むＯＳ５０を成す各プログラムを実行する。
【００５３】
２系統制御プログラム５１及びＲＳ４８５データ送受信プログラム５４は、ＣＰＵ４７により実行されることにより、次のような動作を行う。
【００５４】
すなわち、ＲＳ４８５データ送受信プログラム５４は、２系のＰＯＳ端末Ａ、Ｂ（１０、２０）から従局ＲＳ４８５ネットワークインタフェース４４、４５にて受信した電文を、主局ＲＳ４８５ネットワークインタフェース４６から電文に格納されている宛先のＲＳ４８５機器である計量機１〜３（３１〜３３）へ送信する。この送信は、メモリ４９上の優先系状態５３に設定されている系が受信した系と合致した場合、あるいは、優先系（後述参照）が設定されている場合のみ、行われる。
【００５５】
また、ＲＳ４８５データ送受信プログラム５４は、上記とは逆に、主局ＲＳ４８５ネットワークインタフェース４６で受信した電文は、メモリ４９上の優先系状態５３に設定されている系、あるいは、優先系が設定されていない場合には予め設定されている初期状態（後述参照）の系に対応する従局ＲＳ４８５ネットワークインタフェース４４、４５からＰＯＳ端末Ａ、Ｂ（１０、２０）へ送信する。
【００５６】
２系統制御プログラム５１は、ＲＳ４８５データ送受信プログラム５４と連携して動作する。まず、ＲＳ４８５データ送受信プログラム５４は、各従局ＲＳ４８５ネットワークインタフェース４４、４５にて電文を受信すると、２系統制御プログラム５１に通知し、受信電文を渡す。すると、２系統制御プログラム５１は、この通知を待ち受け、通知されたことをトリガにして、優先系を決定する（後述参照）。優先系の決定に際して、条件テーブル５２を基に、受信電文や、現優先系の状態によって、決定された優先系を、メモリ４９上の優先系状態５３に書き込む。条件テーブル５２のいずれの条件に合致しない場合は、これは行われない。優先系の決定は、優先系を初期状態に戻すことも含まれる。
【００５７】
上記により、２系のＰＯＳシステムにおける電文シーケンスの一貫性を保ち、あたかも各々のＰＯＳシステムからみると、自身に接続されている唯一の計量機を保有しているかのごとき動作を実現する。
【００５８】
次に、図４を参照して、２系統制御プログラム５１による条件テーブル５２を用いた優先系設定処理を説明する。ここでは、優先系における系の呼称については、ＰＯＳ端末Ａ（１０）を「系１」、ＰＯＳ端末Ｂ（２０）を「系２」としている。
【００５９】
図４は、２系統制御プログラム５１の処理手順を示すフローチャートである。
【００６０】
図４において、まず、２系統制御プログラム５１は、ＲＳ４８５データ送受信プログラム５４からの受信電文の通知を受けると、この通知をトリガとして、条件テーブル５２に登録されている条件データの総数に応じた回数分、受信電文のデータと、メモリ４９上の優先系状態５３のデータとが、条件データの「対象電文」、「対象機器」、「受信」、「優先系状態」の各項目の登録データと一致するか否かの比較判定を繰り返し実行する。その結果、全て一致していると判定された条件データが存在する場合は、同条件データの「設定する優先系」項目の登録データを優先系として決定し、決定された優先系をメモリ４９上の優先系状態５３に設定し、全て一致していると判定された条件データが存在しない場合は、優先系を決定せずに終了する（ステップＳ１）。
【００６１】
具体的には、上記の比較判定では、まず、条件テーブル５２上の対象とする条件データに対し、同条件データの「対象電文」、「対象機器」、「受信」、「優先系状態」の各項目の登録データと、受信電文のデータと、受信時のメモリ４９上に設定されている優先系状態５３の設定データとの突合せを行う（ステップＳ２〜Ｓ６）。
【００６２】
この突合せに際し、最初に、受信電文のデータと、条件テーブル５２上の対象とする条件データの「対象電文」項目の登録データとを比較し、両データが一致するか否かを判定する（ステップＳ２）。比較は、例えば前方一致で行う。
【００６３】
上記判定で両データが一致した場合は、同条件データの「対象機器」項目の登録データと、受信電文のデータに含まれる送信先の機器（例えば、計量機）を示すデータとを比較し、両データが一致するか否かを判定する（ステップＳ３）。
【００６４】
上記判定で一致した場合は、同条件データの「受信（受信した系）」項目の登録データとを比較し、両データが一致するか否かを判定する（ステップＳ４）。
【００６５】
上記判定で一致した場合は、メモリ４９上の優先系状態５３に現在設定されている優先系を取得し（ステップＳ５）、取得された優先系と、同条件データの「優先系状態」の登録データとを比較し、両データが一致するか否かを判定する（ステップＳ６）。
【００６６】
上記判定で一致し、従っていずれかの条件データの「対象電文」、「対象機器」、「受信」、「優先系状態」の各項目の登録データと全て合致した場合は、同条件データの「設定する優先系」項目の設定データとして登録されている優先系をメモリ４９上の優先系状態５３に設定（更新）する（ステップＳ７）。また、同条件データの「コマンド」項目に登録されているコマンドが存在する場合（ステップＳ８）、そのコマンドを実行する（ステップＳ９）。コマンド実行により、電文送信が行われる。なお、このコマンドについては、本実施形態では、使用していない。
【００６７】
次に、図５を参照して、ＰＯＳ端末Ａ、Ｂ（１０、２０）と計量機１〜３（３１〜３３）との間のデータ通信のシーケンスを説明する。
【００６８】
図５は、縦軸に時間、横方向はデータの向きを記すことで、時系列なデータ通信の様子を表す。なお、図５の例では、Ｓ１は、ＰＯＳ端末Ａ（１０）と接続される従局ＲＳ４８５ネットワークインタフェース４４、Ｓ２：ＰＯＳ端末Ｂ（２０）と接続される従局ＲＳ４８５ネットワークインタフェース４５、Ｍは、計量機１〜３（３１〜３３）と接続する主局ＲＳ４８５ネットワークインタフェース４６をそれぞれ示す。
【００６９】
ここでは、ＰＯＳ端末Ａ（１０）から給油指示電文が送信された時点から、優先系が決定され、その後、計量機１（３１）から給油終了電文が送信され、優先系が解除されるまでの制御シーケンスを説明する。
【００７０】
まず、給油客により屋外端末Ａ１（１１）から給油操作が行われた場合を考える。この場合、屋外端末Ａ１（１１）に接続されたＰＯＳ端末Ａ（１０）から計量機１（３１）に向けた給油許可電文が送信される（ステップＳ１１）。この給油許可電文は、ＰＯＳ端末Ａ（１０）から２系統制御システム４０の従局ＲＳ４８５ネットワークインタフェース４４（Ｓ１）にて受信される。この時点で、２系統制御システム４０のメモリ４９上の優先系状態５３には、優先系は設定されていないため、上記の給油許可電文は、主局ＲＳ４８５ネットワークインタフェース４６（Ｍ）を介して計量機１（１１）へ送信される（ステップＳ１２）。
【００７１】
次いで、２系統制御システム４０にて、上記で受信した給油許可電文に対し、図３に示す条件テーブル５２を参照し、図４に示す優先系設定処理を行う（ステップＳ１３）。この場合、「対象電文」が「給油許可」、「対象機器」が「計量機」、「受信」が「系１」、「優先系状態」が「設定なし」に該当するため、条件データ１の登録データと合致している。従って、上記の優先系設定処理にて、優先系として条件データ１の「設定する優先系」項目の登録データである「系１」が決定され、メモリ４９上の優先系状態５３に設定される。
【００７２】
次いで、計量機１（３１）にて給油が開始されると、ＰＯＳ端末Ａ（１０）に向けて給油開始電文が送信される（ステップＳ１４）。この給油開始電文は、計量機１（３１）から２系統制御システム４０の主局ＲＳ４８５ネットワークインタフェース４６（Ｍ）にて受信される。この時点では、２系統制御システム４０のメモリ４９上の優先系状態５３には、優先系として「系１」が設定されているため、従局ＲＳ４８５ネットワークインタフェース４４（Ｓ１）を介して系１に対応するＰＯＳ端末Ａ（１０）に送信される（ステップＳ１５）。
【００７３】
次いで、２系統制御システム４０にて、上記で受信した給油開始電文に対し、図３に示す条件テーブル５２を参照して、図４に示す優先系設定処理が実行される（ステップＳ１６）。この場合、給油開始電文が、条件データ１〜４の「対象電文」のいずれにも合致しないため、メモリ４９上の優先系状態５３に設定されている優先系は、現状態である「系１」が継続される。
【００７４】
その後、屋外端末Ｂ１（２１）にて給油指示操作が行われた場合を考える。この場合、ＰＯＳ端末Ｂ（２０）からの給油許可電文が２系統制御システム４０の従局ＲＳ４８５ネットワークインタフェース４５（Ｓ２）にて受信される（ステップＳ１７）。この時点で、メモリ４９上の現在の優先系状態５３は「系１」であるため、受信された給油許可電文は、計量機１（３１）には送信されない。また、２系統制御システム４０にて、図３に示す条件テーブル５２を参照して、図４に示す優先系設定処理も行われる（ステップＳ１８）。この優先系設定処理では、「対象電文」が「給油許可」、「対象機器」が「計量機」、「受信」が「系１」までは条件データ３に合致するが、同条件データ３の「優先系状態」が「設定なし」に対し、メモリ４９上の現在の優先系状態５３は「系１」に設定されているため、優先系についても、現状態である「系１」が継続される。
【００７５】
更に、屋外端末Ｂ１（２１）にて給油指示取消操作が行われた場合を考える。この場合、ＰＯＳ端末Ｂ（２１）からの給油取消電文が２系統制御システム４０の従局ＲＳ４８５ネットワークインタフェース４５（Ｓ２）にて受信される（ステップＳ１９）。この時点で、メモリ４９上の現在の優先系状態５３は「系１」であるため、受信された給油許可電文は、計量機１（３１）には送信されない。また、２系統制御システム４０にて、図３に示す条件テーブル５２を参照して、図４に示す優先系設定処理も行われる（ステップＳ２０）。この場合、給油取消電文が、条件データ１〜４の「対象電文」のいずれにも合致しないため、メモリ４９上の優先系状態５３に設定されている優先系は、現状態である「系１」が継続される。
【００７６】
次いで、計量機１（３１）にて給油を終了すると、ＰＯＳ端末Ａ（１１）に向けて給油終了電文が送信される（ステップＳ２１）。この給油終了電文は、２系統制御システム４０の主局ＲＳ４８５ネットワークインタフェース４６（Ｍ）にて受信される。この時点で、メモリ４９上の現在の優先系状態５３は「系１」に設定されているため、上記の給油許可電文は、従局ＲＳ４８５ネットワークインタフェース４４（Ｓ１）を介して系１に対応するＰＯＳ端末Ａ（１１）に送信される（ステップＳ２２）。
【００７７】
次いで、２系統制御システム４０にて、図３に示す条件テーブル５２を参照して、図４に示す優先系設定処理が行われる（ステップＳ２３）。この場合、「対象電文」が「給油終了」、「対象機器」が「計量機」、「受信」が「系１」、「優先系状態」が「系１」に該当するため、条件データ２の登録データと合致している。従って、上記の優先系設定処理にて、優先系として条件データ２の「設定する優先系」項目の登録データである「設定なし」が決定され、メモリ４９上の優先系状態５３に設定される。
【００７８】
なお、上述の優先系は、ＰＯＳ端末Ａ、Ｂ（１０、２０）及び単一のＲＳ４８５機器（計量機）間で管理されるため、複数機器における排他制御の重複はない。
【００７９】
次に、図１〜図５を参照して、本実施の形態の全体動作を説明する。
【００８０】
まず、図１に示すセルフガソリンスタンドにおいて、給油客を乗せた車両が３つのレーン１〜３のうちいずれかのレーン１〜３に進入及び停車し、レーン１〜３毎に設置されている屋外端末Ａ１〜Ａ３（１１〜１３）、Ｂ１〜Ｂ３（２１〜２３）で計量機１〜３（３１〜３３）を給油可能な状態にするための操作を行う。
【００８１】
屋外端末Ａ１〜Ａ３（１１〜１３）、Ｂ１〜Ｂ３（２１〜２３）は、２系のＰＯＳ端末Ａ、Ｂ（１０、２０）に接続される２台がレーン毎に設置されており、給油客が望む決済手段が利用可能な屋外端末Ａ１〜Ａ３（１１〜１３）、Ｂ１〜Ｂ３（２１〜２３）を選択する。決済手段における屋外端末Ａ１〜Ａ３（１１〜１３）、Ｂ１〜Ｂ３（２１〜２３）での操作手順については、本発明に直接関与しないなため、その説明は割愛する。
【００８２】
次いで、給油客は、屋外端末Ａ１（１１）を利用して、給油したい油種（レギュラー、ハイオク、軽油などがある）を指示したとする。このとき、屋外端末Ａ（１１）に接続されるＰＯＳ端末Ａ（１０）から送信される給油許可電文は、２系統制御システム４０を通過して計量機１（３１）に到達する。これにより、計量機１（３１）は給油可能な状態になる（図５：ステップＳ１１、Ｓ１２）。
【００８３】
このとき、２系統制御システム４０では、優先系が設定されていないニュートラルな状態の場合、予めどちらの系を有効とするか、もしくは、両系を有効とするための環境設定を保有している。本実施の形態では、優先系が設定されておらず、両系を有効とした環境設定が行われているものとする。
【００８４】
次いで、２系統制御システム４０にて、従局ＲＳ４８５ネットワークインタフェース４４及び主局ＲＳ４８５ネットワークインタフェース４６を介して通過した給油許可電文のデータを捕捉し、これと、条件テーブル５３を基に、前述した優先系設定処理が行われる（図５：ステップＳ１３）。ここで、給油許可状態となった場合、他方のＰＯＳ端末Ｂ（２１）からの計量機制御を抑止したいため、条件テーブル５３には、図３の条件データ１、３に示すように、受信した系に対して優先系を設定するための条件が予め格納されている。
【００８５】
そこで、メモリ４９上の優先系状態５３には、給油許可電文を受信した系、すなわちＰＯＳ端末Ａ（１１）に対応する「系１」が優先系として設定される。この優先系は、ＰＯＳ端末Ａ（１１）と計量機１（３１）間の系であって、他の計量機２、３（３２、３３）との系については、対象としない。つまり、ＰＯＳ端末Ｂ（２１）と計量機２、３（３２、３３）との通信は可能であることを意味する。
【００８６】
その後、他の給油客が、操作する屋外端末を間違えて、屋外端末Ｂ１（２１）を操作した場合を考える。この場合、ＰＯＳ端末Ｂ（２１）から計量機１（２１）へ給油許可電文が送信される。この時点では、メモリ４９上の優先系状態５３には、優先系としてＰＯＳ端末Ａ（１１）に対応する「系１」が設定されているため、送信された給油許可電文は２系統制御システム４０にて破棄され、計量機１（３１）へは到達しない（図５：ステップＳ１７、Ｓ１８）。この場合、屋外端末Ｂ１（２１）は、給油指示操作を行っているが、給油指示の取消操作を行うことで、元の状態に戻る（図５：ステップＳ１９、Ｓ２０）。
【００８７】
次いで、給油客が計量機１（３１）にて給油作業を行い、給油ノズルを計量機１（３１）に戻すことで給油を終える。給油が終了すると、計量機１から給油終了電文が送信される（図５：ステップＳ２１）。この給油終了電文は、２系統制御システム４０を通過し、優先系が設定されている「系１」に対応するＰＯＳ端末Ａ（１１）へ送信される（図５：ステップＳ２２）。
【００８８】
次いで、２系統制御システム４０にて、通過した給油終了電文のデータを捕捉し、条件テーブル５３を参照して、優先系設定処理が行われる（図５：ステップＳ２３）。給油終了では、計量機の占有を解除したいため、条件テーブル５３には、図３の条件データ２、４に示すように、優先系を解除するための条件が格納されている。そこで、メモリ４９上の優先系状態５３には「設定なし」が設定され、これにより計量機１（３１）への優先系の設定が解除される。
【００８９】
以上の手順によって、給油客はどちらの屋外端末（ＰＯＳシステム）を利用しても同一の計量機を使用して給油を可能としている。
【００９０】
従って、本実施の形態によれば、次のような効果が得られる。
【００９１】
１）２系のＰＯＳシステムにつき、各々に計量機などのＲＳ４８５機器を専用に用意する必要がなくなるため、費用においてコスト削減が可能となる（費用効果）。
【００９２】
２）２系のＰＯＳシステムにつき、各々に計量機などのＲＳ４８５機器を専用に用意する必要がなくなるため、設備の敷設面積において半分ですむことになる（設置面積効果）。
【００９３】
３）従来では、２系のＰＯＳシステムにつき、各々に計量機などのＲＳ４８５機器を専用に用意する場合、顧客は給油に入ったレーンにて自身の望む決済方法が許容されるＰＯＳシステムと連動していないレーンに入ってしまうことも想定され、その際はその決済が許されるＰＯＳシステムと連動しているレーンへの移動を余儀なくされる。これに対し、本システムを適用すれば、給油に来店された顧客は、その決済方法の如何に関わらずレーンを選択し、そのレーンにおける２系のＰＯＳの何れかから決済を行えるＰＯＳを選択することが可能となる（顧客誘導の簡潔効果）。
【００９４】
４）従来の店舗構成においては、基本的に一つのＰＯＳシステムにおける制御の元、ＲＳ４８５機器を制御するため、その店舗の運用はそのＰＯＳの仕様に限定される。例として、新しい決済方法や新しいＲＳ４８５機器を店舗運用において導入したい場合、従来であれば、１）「新しい決済方法や機器を導入されているＰＯＳシステムに対応させる」もしくは、２）「対応している別のＰＯＳを導入しなおす」などの方法が考えられる。しかし、上記１）の方法においては、ＰＯＳにより改造費用の発生及び、改造自体が受け入れられない可能性があり、この場合、上記１）の方法は適用できない。また、上記２）の方法においては、新しく導入するＰＯＳシステムが前のＰＯＳの機能を全て網羅しているとは限らず、既存のシステムでの必要機能が切り替えるＰＯＳにて満たされないような場合、上記２）の方法は適用できない。こういった事例においても、本システムの適用は有効である。その理由は、既存システムに加え、店舗運用上望まれる機能を具備したＰＯＳシステムを追加で設置することを可能とするため、既存のシステムでの機能要件を損なうことがほぼないためである（運用の多様化可能効果）。
【００９５】
なお、本実施の形態では、ＲＳ４８５機器として計量機を例として提示したが、電文制御における判断条件の生成次第で、ＰＩＦ、積算計、油面計、洗車機などのさまざまなＲＳ４８５機器についても排他、共有制御可能であることの仕組みについて相違はなく、適用可能である。
【００９６】
また、本実施の形態では、ガソリンスタンド向けＰＯＳへの適用を示しているが、上記方式による機器制御を行う限り、ガソリンスタンド向けＰＯＳ以外においても適用は可能である。
【００９７】
さらに、本実施の形態では、２系のＰＯＳシステムから同一機器への制御を示しているが、本発明は２系に限定されず、３系以上でも適用可能である。
【産業上の利用可能性】
【００９８】
本発明によれば、ＲＳ４８５におけるポーリング／セレクティング方式で機器制御を行うＰＯＳシステムへの適用が可能である。
【図面の簡単な説明】
【００９９】
【図１】本発明の実施例に係る２系統ＰＯＳ制御システムを用いたガソリンスタンド向けＰＯＳシステムの全体構成を示す図である。
【図２】図１に示す２系統制御システムの内部構成を示すブロック図である。
【図３】図２に示す条件テーブルの構成を示す図である。
【図４】条件テーブルを用いて優先系を設定する場合の処理手順を示すフローチャートである。
【図５】ＰＯＳ端末と計量機間の通信シーケンス図である。
【図６】（ａ）及び（ｂ）は、２系のシステム構成をとるガソリンスタンド向けＰＯＳシステムの概要を説明する図である。
【図７】２系のシステム構成をとるガソリンスタンド向けＰＯＳシステムの概要を説明する図である。
【図８】（ａ）及び（ｂ）は、図７に示す２系のシステム構成をとる場合の課題を説明するシーケンス図である。
【符号の説明】
【０１００】
１０  ＰＯＳ端末Ａ（主局Ａ）
１１〜１３  ＰＯＳ端末Ａ１〜Ａ３
１４  ＰＯＳ−屋外端末系ネットワーク
１５  主局ＲＳ４８５ネットワークインタフェース（ＰＯＳ端末Ａ）
２０  ＰＯＳ端末Ｂ（主局Ｂ）
２１〜２３  ＰＯＳ端末Ｂ１〜Ｂ３
２４  ＰＯＳ−屋外端末系ネットワーク
２５  主局ＲＳ４８５ネットワークインタフェース（ＰＯＳ端末Ｂ）
３１〜３３  計量機１〜３（従局１〜３）
４０  ２系統制御システム
４１〜４３  ＲＳ４８５系ネットワークケーブル
４４、４５  従局ＲＳ４８５ネットワークインタフェース（２系統制御システム）
４６  主局ＲＳ４８５ネットワークインタフェース（２系統制御システム）
４７  ＣＰＵ
４８  主記憶装置
４９  メモリ
５０  ＯＳ
５１  ２系統制御プログラム
５２  条件テーブル
５３  優先系状態
５４  ＲＳ４８５データ送受信プログラム
【図１】
0004516896.tif 000002
【図２】
0004516896.tif 000003
【図３】
0004516896.tif 000004
【図４】
0004516896.tif 000005
【図５】
0004516896.tif 000006
【図６】
0004516896.tif 000007
【図７】
0004516896.tif 000008
【図８】
0004516896.tif 000009